(57)【要約】      （修正有）【課題】構造が簡単ですっきりとした外観と必要な強度を有する組立式財布を提供する。【解決手段】組立式財布は、長方形の第一本体部１１及び第一本体部の上半分から短手方向に延出したカード入れ表部１３を有すると共に第一本体部及びカード入れ表部の短手方向端部近傍に複数の穴１６を設けた第一シート１と、長方形の第二本体部２１を有すると共に第二本体部の端部近傍に複数の穴２６を設けた第二シート２と、穴１６，２６に通して固定するリベットとを備える。第一シートに第二シートを重ねた状態でカード入れ表部１３を第二シートの上に被せるように折り返し、第一シート１及び第二シート並びにカード入れ表部の穴を合わせてリベットで固定し、第一シート及び第二シートとの間に札入れを設け、第二シート及びカード入れ表部との間にカード入れを設ける。【選択図】図１
0003219372.tif 000002
【実用新案登録請求の範囲】
【請求項１】
長方形の第一本体部及び当該第一本体部から短手方向に延出した表部を有すると共に前記第一本体部及び表部の短手方向端部近傍に複数の穴を設けた第一シートと、
長方形の第二本体部及び当該第二本体部の端部近傍に複数の穴を設けた第二シートと、
前記穴に通して固定する固定手段と、
を備えたことを特徴とする組立式収納具。
【請求項２】
長方形の第一本体部及び当該第一本体部の上半分から短手方向に延出したカード入れ表部を有すると共に前記第一本体部及びカード入れ表部の短手方向端部近傍に複数の穴を設けた第一シートと、
長方形の第二本体部を有すると共に当該第二本体部の端部近傍に複数の穴を設けた第二シートと、
前記穴に通して固定する固定金具と、
を備えたことを特徴とする組立式収納具。
【請求項３】
長方形の第一本体部及び当該第一本体部の上半分から短手方向に延出した小銭入れ表部を有すると共に前記第一本体部及び小銭入れ表部の短手方向端部近傍に複数の穴を設けた第一シートと、
長方形の第二本体部及び当該第二本体部の上半分から短手方向に延出した蓋部を有すると共に第二本体部の端部近傍及び中央付近短手方向に複数の穴を設けた第二シートと、
前記穴に通して固定する固定金具と、
を備えたことを特徴とする組立式収納具。
【請求項４】
長方形の第一本体部及び当該第一本体部から短手方向に延出した表部を有すると共に前記第一本体部及び表部の短手方向端部近傍に複数の穴を設けた第一シートと、
長方形の第二本体部及び当該第二本体部の端部近傍に複数の穴を設けた第二シートと、
前記穴に通して固定する固定手段と、を備え、
前記第一シートに第二シートを重ねた状態で前記表部を第二シートの上に被せるように折り返し、前記第一シート及び第二シート並びに表部の穴を合わせて当該穴に固定手段を通してこれら第一シート及び第二シート並びに表部を固定し、第一シート及び第二シートとの間に第一層収納部を設けると共に第二シート及び表部との間に第二層収納部を設けた構造であることを特徴とする収納具。
【考案の詳細な説明】
【技術分野】
【０００１】
本考案は、ユーザが簡単に作ることができる硬貨、お札、小物等を収納する組立式収納具及び収納具に関するものである。
【背景技術】
【０００２】
従来から、特許文献１に記載されたような財布組立シートが知られている。この財布組立シートは、一枚の組み立てシートを折り曲げて組み立てることで、紙幣入れ、小銭入れ、カード収納ケースを製作するものであり、長方形状のシート製材料で形成されて長辺部中央に折り曲げが設けられた紙幣入れ背面部を有し、当該紙幣入れ背面部の長辺部の前記折り曲げ位置から端部までのほぼ半分の辺に小銭入れ背面部とカード受け背面部とが折り曲げ可能に繋げられて設けられる。
【０００３】
前記小銭入れ背面部の１辺には、折り曲げ可能に小銭入れ前面部が繋げられて設けられ、紙幣入れ背面部と小銭入れ前面部とのそれぞれの辺には止め部が形成される。前記小銭入れ背面部と紙幣入れ背面部と紙幣押さえ面部には、止め部が嵌入される切り欠きが形成されている。
【０００４】
この財布組立シートでは、折り曲げ部を折り曲げ、前記止め部を切り欠きに嵌入することで財布として組み立てられる。
【先行技術文献】
【特許文献】
【０００５】
【特許文献１】特開２０１３−９９４９５号公報
【考案の概要】
【考案が解決しようとする課題】
【０００６】
上記先行技術に係る財布組立シートでは、前記止め部を切り欠きに嵌入する構造であるため、構造が複雑になり外観がすっきりしないという問題があった。また、止め部を切り欠きに嵌入するのみで組み立てることから、必要な強度が得られないという問題があった。本考案は、係る問題点を解決するためになされたものである。
【課題を解決するための手段】
【０００７】
本考案に係る組立式収納具は、長方形の第一本体部及び当該第一本体部から短手方向に延出した表部を有すると共に前記第一本体部及び表部の短手方向端部近傍に複数の穴を設けた第一シートと、長方形の第二本体部及び当該第二本体部の端部近傍に複数の穴を設けた第二シートと、前記穴に通して固定する固定手段とを備えたことを特徴とする。
【０００８】
また、本考案に係る組立式収納具は、長方形の第一本体部及び当該第一本体部の上半分から短手方向に延出したカード入れ表部を有すると共に前記第一本体部及びカード入れ表部の短手方向端部近傍に複数の穴を設けた第一シートと、長方形の第二本体部を有すると共に当該第二本体部の端部近傍に複数の穴を設けた第二シートと、前記穴に通して固定する固定金具とを備えたことを特徴とする。
【０００９】
また、本考案に係る組立式収納具は、長方形の第一本体部及び当該第一本体部の上半分から短手方向に延出した小銭入れ表部を有すると共に前記第一本体部及び小銭入れ表部の短手方向端部近傍に複数の穴を設けた第一シートと、長方形の第二本体部及び当該第二本体部の上半分から短手方向に延出した蓋部を有すると共に第二本体部の端部近傍及び中央付近短手方向に複数の穴を設けた第二シートと、前記穴に通して固定する固定金具とを備えたことを特徴とする。
【００１０】
更に、本考案に係る収納具は、長方形の第一本体部及び当該第一本体部から短手方向に延出した表部を有すると共に前記第一本体部及び表部の短手方向端部近傍に複数の穴を設けた第一シートと、長方形の第二本体部及び当該第二本体部の端部近傍に複数の穴を設けた第二シートと、前記穴に通して固定する固定手段と、を備え、前記第一シートに第二シートを重ねた状態で前記表部を第二シートの上に被せるように折り返し、前記第一シート及び第二シート並びに表部の穴を合わせて当該穴に固定手段を通してこれら第一シート及び第二シート並びに表部を固定し、第一シート及び第二シートとの間に第一層収納部を設けると共に第二シート及び表部との間に第二層収納部を設けた構造であることを特徴とする。
【図面の簡単な説明】
【００１１】
【図１】本考案の実施の形態１に係る組立式財布を示す平面図である。
【図２】図１に示した組立式財布を組み立てた状態の財布を示す平面図である。
【図３】図１に示した組立式財布を組み立てた状態の財布を二つ折りにした状態を示す斜視図である。
【図４】本考案の実施の形態２に係る組立式財布を示す平面図である。
【図５】図４に示した組立式財布を組み立てた状態の財布を示す平面図である。
【考案を実施するための形態】
【００１２】
図１は、本考案の実施の形態１に係る組立式財布を示す平面図である。この組立式財布１００は、革製の第一シート１と、革製の第二シート２とを重ねて組み合わせた構成である。第一シート１は、長方形の第一本体部１１と第一本体部１１の上右半分から短手方向に延出した小銭入れとなる小銭入れ表部１２と、第一本体部１１の上左半分から短手方向に延出した平積み式のカード入れのカード入れ表部１３と、から構成される。前記小銭入れ表部１２の略中央には、ホック１４が設けられる。カード入れ表部１３は、右端が斜めに形成され、この斜め端に沿ってカードを挿入可能とする切込み１５が設けられる。
【００１３】
次に、第二シート２は、長方形の第二本体部２１と、第二本体部２１の上右半分から短手方向に延出した小銭入れの蓋部２２と、から構成される。蓋部２２は、山形であり、先端付近に前記ホック１４に対応するホック２４が設けられる。また、第二本体部２１の中央下部には、円形の切欠き２３が設けられる。
【００１４】
第一シート１の第一本体部短手方向の両端近傍には、リベットを通す複数の穴１６が設けられる。具体的には、第一本体部１１の両端近傍、小銭入れ表部１２の両端近傍、カード入れ表部１３の左端近傍に沿って、前記穴１６が形成される。更に、前記第二シート２の両端近傍に沿ってリベットを通す複数の穴２６が形成される。更に、第二シート２の中央より右寄り短手方向に、小銭入れを形成するためのリベット用の穴２６が上下方向に複数設けられる。
【００１５】
革は、表面がタンニンなめし又はクロムなめしにより処理され、裏面は、スエード又はヌバックである。前記表面には型押しで所望の模様を形成しても良い。革には、牛革、馬革、羊皮、やぎ革等の革を使用できる。
【００１６】
次に、この組立式財布１００の組み立て方法について説明する。図２は、図１に示した組立式財布を組み立てた状態の財布を示す平面図である。第一シート１を裏にしてその上に第二シート２を重ねる。第一シート１を裏にした状態では、前記小銭入れ表部１２とカード入れ表部１３とが下方向に向いており、これらを第一本体部１１との境界線をもって折返し、前記第二シート２の上に被せるようにする。そして、第一本体部１１と第二本体部２１との両端近傍の穴１６，２６同士の位置が合うようにする。更に、第二シート２の中央近傍の穴２６と小銭入れ表部１２の左側端部近傍の穴１６との位置が合うようにする。
【００１７】
続いて、第一シート１、第二シート２及び小銭入れ表部１２の穴１６，２６に、当該第一シート１、第二シート２及び小銭入れ表部１２の三層を貫通させるようにリベット３０を通し、槌を用いて留める。同じく、第一シート１、第二シート２及びカード入れ表部１３の穴１６，２６に、当該第一シート１、第二シート２及びカード入れ表部１３の三層を貫通させるようにリベット３０を通し、槌を用いて留める。更に、また、第二シート２と小銭入れ表部１２との穴１６，２６に、第二シート２及び小銭入れ表部１２の二層を貫通させるようにリベット３０を通し、槌を用いて留める。また、前記蓋部２２を折り返した状態で前記ホック１４と小銭入れ表部１２のホック２４とが篏合するようにする。
【００１８】
この状態で、第一シート１及び第二シート２との間に、第一層収納部である札入れ４１が形成される。また、左半分には第二層収納部であるカード入れ４２が形成され、右半分には第二層収納部である小銭入れ４３が形成される。そして、第一シート１と第二シート２とは、リベット３０により留められるので、札入れ４１、カード入れ４２及び小銭入れ４３の強度が高くなる。また、無駄に折り重なる部分が少ないことから、デザインがすっきりしたものとなる。リベット３０は、上記の組み立て過程において、上下方向にそれぞれ４個が配置されており、この数であれば、小銭入れ４３から小銭が出てしまうことがなく、且つ、十分な強度を確保でき、リベット３０だらけになることなく、すっきりしたデザインとなる。
【００１９】
この組立式財布１００は、図３に示すように、二つ折りのタイプである。前記第二シート２の下端中央付近に設けた円形の切欠き２３により、当該部分での折り曲げが容易となると共に、札入れ４１に入れたお札の数や内容を切欠き２３越しに確認できる。また、全体として三層構造で済むことから、嵩張ることがない。
【００２０】
（実施の形態２）
図４は、本考案の実施の形態２に係る組立式財布１００を示す展開図である。この組立式財布２００は、実施の形態１に係る組立式財布１００と略同一の構成であるが、小銭入れ４３の部分を上記カード入れ４２にした点で異なる。この組立式財布２００は、革製の第一シート２０１と、革製の第二シート２０２とを重ねて組み合わせた構成である。
【００２１】
第一シート２０１は、長方形の第一本体部２１１と、当該第一本体部２１１の上右半分と上左半分とから短手方向に延出した平積み式のカード入れ４２のカード入れ表部２１３を備えた構成である。カード入れ表部２１３は、右端及び左端が斜めに形成され、この斜め端に沿ってカードを挿入可能とする切込み２１５が設けられる。第二シート２０２は、長方形の第二本体部２２１から構成される。第二本体部２２１の中央下部には、円形の切欠き２２３が設けられる。
【００２２】
第一シート２０１の第一本体部短手方向の両端近傍には、リベット３０を通す複数の穴２１６が設けられる。具体的には、第一本体部２１１の両端近傍、及びカード入れ表部２１３の左端近傍及び右側近傍に沿って、前記穴２１６が形成される。更に、前記第二シート２０２の両端近傍に沿ってリベット３０を通す複数の穴２２６が形成される。
【００２３】
次に、この組立式財布２００の組み立て方法について説明する。第一シート２０１を裏にしてその上に第二シート２０２を重ねる。第一シート２０１を裏にした状態では、前記カード入れ表部２１３が下方向に向いており、これらを第一本体部２１１との境界線をもって折返し、前記第二シート２０２の上に被せるようにする。そして、第一本体部２１１と第二本体部２２１との両端近傍の穴２１６，２２６同士の位置が合うようにする。
【００２４】
続いて、第一シート２０１及び第二シート２０２の穴２１６，２２６に、当該第一シート２０１、第二シート２０２及びカード入れ表部２１３の三層を貫通させるようにリベット３０を通し、槌を用いて留める。この状態で、第一シート２０１及び第二シート２０２との間に、第一層収納部である札入れ４１が形成される。また、左半分及び右半分には、第二層収納部であるカード入れ４２が形成される。そして、第一シート２０１と第二シート２０２とは、リベット３０により留められるので、札入れ４１、カード入れ４２の強度が高くなる。また、無駄に折り重なる部分が少ないため、デザインがすっきりしたものとなる。リベット３０は、上記の組み立て過程において、上下方向にそれぞれ４個が配置されており、この数であれば、十分な強度を確保でき、リベット３０だらけになることなく、すっきりしたデザインとなる。
【００２５】
この組立式財布２００は、上記同様、二つ折りのタイプである。前記第二シート２０２の下端中央付近に設けた円形の切欠き２２３により、当該部分での折り曲げが容易となると共に、札入れ４１に入れたお札の数や内容を当該切欠き２２３を通して確認できる。また、全体として三層構造になることから、嵩張ることがない。
【００２６】
なお、上記実施の形態１，２において、前記リベット３０に代えて、ボルトナットにより固定しても良い（図示省略）。また、前記それぞれ4個の穴１６，２６，２１６，２２６に対して革ひもを通して固定しても良いし、ステープラーの針形状の金具を通して固定しても良い（図示省略）。すなわち、妥当な個数の穴１６，２６，２１６，２２６、具体的には４個以上８個以下の穴１６，２６，２１６，２２６として、この穴１６，２６，２１６，２２６をリベット３０、ボルトナット、金具で固定することで、組み立てを簡単にすると共にシンプルで嵩張らず、収納性を高めて実用的なものとできる。
【００２７】
また、上記実施の形態１，２において、組立式収納具の例として財布を挙げたが、名刺入れや小物入れその他の収納具にも適用できる。更に、上記実施の形態１，２において、組立式収納具の素材は革製としたが、この他、合成皮革、コットンキャンバス等の布であっても良い。
【符号の説明】
【００２８】
１００  組立式財布
１  第一シート
１１  第一本体部
１２  小銭入れ表部
１３  カード入れ表部
１４  ホック
１５  切込み
２  第二シート
２１  第二本体部
２２  蓋部
２３  切欠き
２４  ホック
１６，２６  穴
３０  リベット
【図１】
0003219372.tif 000003
【図２】
0003219372.tif 000004
【図３】
0003219372.tif 000005
【図４】
0003219372.tif 000006
【図５】
0003219372.tif 000007